(57)【要約】【課題】ネジ摩耗が早期に促進されてしまうのを抑えつつ、摩耗前は勿論、ネジ摩耗がある程度進行してしまっても、不完全ネジ部において鋭利なエッジが形成されることを防いで、工具寿命の延長を図る。【解決手段】雄ネジ部が形成されたネジ軸と雌ネジ部１が形成されたネジ穴との掘削工具のネジ継手構造にあって、雄ネジ部と雌ネジ部１とは完全ネジ部におけるネジ山３が一対の斜面３Ａ、３Ｂと山頂部に平坦部３Ｃを有する断面等脚台形状をなし、少なくとも一方のネジ部１の不完全ネジ部におけるネジ山３は、他方のネジ部に接する側の斜面３Ａが、完全ネジ部におけるネジ山３の同じ側を向く斜面３Ａと等しい傾斜角および捩れ角を有してこの斜面３Ａに連続し、山頂部は、完全ネジ部における平坦部３Ｃに連なる平坦部３Ｃが形成されたまま、ネジ山３の高さが低くなってネジ谷底面４に交差させられている。【選択図】図３
2011038270.tif 000002
【特許請求の範囲】
【請求項１】
掘削ビットと掘削ロッド、掘削ロッド同士、または掘削ロッドとカップリングとを接続する、雄ネジ部が形成されたネジ軸と雌ネジ部が形成されたネジ穴との掘削工具のネジ継手構造であって、上記雄ネジ部と雌ネジ部とは完全ネジ部におけるネジ山が一対の斜面と山頂部に平坦部を有する断面等脚台形状をなすとともに、これら雄ネジ部と雌ネジ部とのうち少なくとも一方のネジ部の不完全ネジ部におけるネジ山は、他方のネジ部に接する側の斜面が、上記完全ネジ部におけるネジ山の同じ側を向く斜面と等しい傾斜角および捩れ角を有して該斜面に連続し、山頂部は、上記完全ネジ部における平坦部に連なる平坦部が形成されたまま、ネジ山高さが低くなってネジ谷底面に交差させられていることを特徴とする掘削工具のネジ継手構造。
【請求項２】
上記少なくとも一方のネジ部の不完全ネジ部におけるネジ山の山頂部に形成された平坦部は、その幅が上記完全ネジ部におけるネジ山の平坦部と等しくされたまま、ネジ山高さが漸次低くなってネジ谷底面に交差させられていることを特徴とする請求項１に記載の掘削工具のネジ継手構造。
【請求項３】
上記少なくとも一方のネジ部の不完全ネジ部におけるネジ山は、そのネジ山高さが上記完全ネジ部と等しいまま、その山頂部に形成された平坦部の幅が上記完全ネジ部の平坦部の幅よりも小さな幅になるように漸次小さくなり、次いでこの小さな幅で平坦部が一定幅とされたままネジ山高さが漸次低くなって山頂部がネジ谷底面に交差させられていることを特徴とする請求項１に記載の掘削工具のネジ継手構造。
【請求項４】
上記一定幅が、上記完全ネジ部の平坦部の幅の１／３以上であることを特徴とする請求項３に記載の掘削工具のネジ継手構造。
【発明の詳細な説明】
【技術分野】
【０００１】
本発明は、地盤を掘削する掘削ビットとこの掘削ビットに掘削装置からの打撃力や回転力を伝える掘削ロッド、またはこの掘削ロッド同士、または掘削ロッドと掘削ロッド同士を連結するカップリングとを接続するための、雄ネジ部が形成されたネジ軸と雌ネジ部が形成されたネジ穴との掘削工具のネジ継手構造に関するものである。
【背景技術】
【０００２】
これら掘削工具のネジ継手構造における雌雄ネジ部のネジ山として、完全ネジ部が一対の斜辺と山頂部に平坦部を有する断面等脚台形状をなす、いわゆるＴネジが知られているが、このようなＴネジを初めとして一般的なネジでも、その雌雄ネジ部の両端における不完全ネジ部においては、ネジ山が面取りされ、あるいはヌスミが付けられるようにして切り欠かれることにより、断面が鋭角をなすようなエッジが形成されることになる。そして、特に掘削時の回転力や打撃力、推力が作用する掘削工具のネジ継手においては、このような鋭利なエッジが雌雄ネジ部の他方のネジ山に接触することにより応力集中を発生させて工具寿命の低下を招くことになる。
【０００３】
そこで、例えば特許文献１には、このような断面等脚台形状のネジ山を有する掘削工具のネジ継手において、雌ネジ部のネジ山の幅と高さが減少する終端部すなわち不完全ネジ部を除去することにより、本質的に不変なネジプロファイルすなわち断面形状を維持するようにして、上述のように鋭角をなすエッジが形成されないようにしたものが提案されている。また、特許文献２には、やはり断面等脚台形状をなす完全ネジ部に対して、不完全ネジ部を、そのネジ山が丸くされた断面形状とすることにより斜面を異なる形状として、鋭利なエッジがこの不完全ネジ部に形成されないようにしたものも提案されている。
【先行技術文献】
【特許文献】
【０００４】
【特許文献１】特開昭６２−１２５１９２号公報
【特許文献２】特表２００２−５０７６８６号公報
【発明の概要】
【発明が解決しようとする課題】
【０００５】
このうち、特許文献１に記載のネジ継手においては、不完全ネジ部が除去されるため、当該不完全ネジ部に鋭利なエッジが形成されることはない。しかしながら、その一方で、こうして不完全ネジ部を除去してしまうと、この不完全ネジ部を除去した除去面とネジ山の斜面との交差稜線部にエッジが形成されることになり、このエッジによって雌雄ネジ部のうち他方のネジ部のネジ山斜面に応力集中が生じて、やはり工具寿命を短縮してしまう結果となる。
【０００６】
また、不完全といえども雌雄ネジ部の接触面積の確保に多少なりとも寄与しているネジ部を、この特許文献１に記載のように除去してしまうことは、早期のネジ摩耗を促進してしまうため、好ましくない。これは、特許文献２に記載のネジ継ぎ手でも同様であり、すなわち完全ネジ部と不完全ネジ部とで斜面が異なる形状であるために不完全ネジ部の斜面が他方の雌雄ネジ部に接触することはなく、やはり早期のネジ摩耗を抑制することは困難となる。
【０００７】
本発明は、このような背景の下になされたもので、ネジ摩耗が早期に促進されてしまうのを抑えつつ、摩耗前は勿論、ネジ摩耗がある程度進行してしまっても、不完全ネジ部において鋭利なエッジが形成されることを防いで、工具寿命の延長を図ることが可能な掘削工具のネジ継手構造を提供することを目的としている。
【課題を解決するための手段】
【０００８】
上記課題を解決して、このような目的を達成するために、本発明は、掘削ビットと掘削ロッド、掘削ロッド同士、または掘削ロッドとカップリングとを接続する、雄ネジ部が形成されたネジ軸と雌ネジ部が形成されたネジ穴との掘削工具のネジ継手構造であって、上記雄ネジ部と雌ネジ部とは完全ネジ部におけるネジ山が一対の斜面と山頂部に平坦部を有する断面等脚台形状をなすとともに、これら雄ネジ部と雌ネジ部とのうち少なくとも一方のネジ部の不完全ネジ部におけるネジ山は、他方のネジ部に接する側の斜面が、上記完全ネジ部におけるネジ山の同じ側を向く斜面と等しい傾斜角および捩れ角を有して該斜面に連続し、山頂部は、上記完全ネジ部における平坦部に連なる平坦部が形成されたまま、ネジ山高さが低くなってネジ谷底面に交差させられていることを特徴とする。
【０００９】
このように構成されたネジ継手構造において、雌雄ネジ部のうち上記少なくとも一方のネジ部は、まずその不完全ネジ部のネジ山の他方のネジ部に接する側の斜面が、上記完全ネジ部におけるネジ山の同じ側を向く斜面と等しい傾斜角および捩れ角を有して該斜面に連続していて、捩れの向きに沿ってはこの完全ネジ部の斜面がそのまま延長されることになる。このため、他方のネジ部におけるネジ山の斜面との接触面積をより大きくすることができて、ネジ摩耗の進行を抑制することができる。
【００１０】
そして、この斜面に交差する上記少なくとも一方のネジ部の不完全ネジ部におけるネジ山の山頂部は、完全ネジ部における平坦部に連なる平坦部が形成されたまま、ネジ山高さが低くなってネジ谷底面に交差させられており、すなわちこのネジ谷底面との交差部分においても所定の長さの交差稜線が形成されるように、その全長に亙ってある程度の幅をもったものとされる。従って、この平坦部と斜面との交差角は鈍角とすることができて、鋭利なエッジが不完全ネジ部に形成されるのを避けることができ、しかもこうして山頂部の平坦部がある程度の幅をもっているため、ネジ摩耗の進行によって上記斜面が後退しても、この幅の範囲であれば平坦部と斜面との交差角が鈍角のままの状態を維持することができる。
【００１１】
ここで、このように上記少なくとも一方のネジ部の不完全ネジ部におけるネジ山の山頂部に形成された平坦部を、ある程度の幅をもったままネジ谷底面に交差するように形成するのに、第１には、この平坦部を、その幅が上記完全ネジ部におけるネジ山の平坦部と等しくされたまま、ネジ山高さを漸次低くしてネジ谷底面に交差させるようにしてもよい。この場合には、該不完全ネジ部においても平坦部の幅は全長に亙って完全ネジ部と同じとなるので、ネジ摩耗が進行してもネジ山がなくなるまで、平坦部と斜面との交差角が鈍角で鋭利なエッジが形成されない状態を維持することができる。
【００１２】
また、第２に、上記少なくとも一方のネジ部の不完全ネジ部におけるネジ山を、そのネジ山高さは上記完全ネジ部と等しいまま、その山頂部に形成された平坦部の幅が上記完全ネジ部の平坦部の幅よりも小さな幅にとなるように漸次小さくなり、次いでこの小さな幅で平坦部が一定幅とされたままネジ山高さが漸次低くなって山頂部がネジ谷底面に交差させられるように形成してもよい。この場合には、ネジ山高さが完全ネジ部と等しい部分において、他方のネジ部との接触面積をより大きく確保することができるので、ネジ摩耗の進行自体を効果的に抑制することができる。
【００１３】
なお、この場合において、上記少なくとも一方のネジ部の不完全ネジ部におけるネジ山山頂部がネジ谷底面に交差する際の平坦部がなす上記一定幅は、上記完全ネジ部の平坦部の幅の１／３以上であることが望ましい。すなわち、この不完全ネジ部の平坦部の一定幅が完全ネジ部の平坦部の幅の１／３よりも小さいと、如何にネジ摩耗の進行を抑制することができたとしても、比較的早い時期に該不完全ネジ部の平坦部が無くなって鋭利なエッジが形成されてしまうおそれがある。
【発明の効果】
【００１４】
以上説明したように、本発明によれば、不完全ネジ部でも斜面の接触を維持することによって早期のネジ摩耗を抑制しつつ、摩耗が生じる前は勿論、摩耗がある程度進行してもこの不完全ネジ部に鋭利なエッジが形成されるのを避けることができ、これにより、他方のネジ部の斜面に応力集中が生じるのを防いで、掘削工具の寿命延長を図ることが可能となる。
【図面の簡単な説明】
【００１５】
【図１】本発明の掘削工具のネジ継手構造が適用される雌ネジ部１が形成されたネジ穴の開口部を示す概略図である。
【図２】本発明の第１の実施形態を示す、図１における軸線Ｏに沿った断面図である。
【図３】本発明の第１の実施形態を示す（ａ）図１におけるＡＡ断面図、（ｂ）図１におけるＢＢ断面図、（ｃ）図１におけるＣＣ断面図、（ｄ）図１におけるＤＤ断面図である。
【図４】本発明の第２の実施形態を示す、図１における軸線Ｏに沿った断面図に相当する図である。
【図５】本発明の第２の実施形態を示す（ａ）図１におけるＡＡ断面図に相当する図、（ｂ）図１におけるＢＢ断面図に相当する図、（ｃ）図１におけるＣＣ断面図に相当する図、（ｄ）図１におけるＤＤ断面図に相当する図である。
【図６】本発明の第３の実施形態を示す、図１における軸線Ｏに沿った断面図に相当する図である。
【図７】本発明の第３の実施形態を示す（ａ）図１におけるＡＡ断面図に相当する図、（ｂ）図１におけるＢＢ断面図に相当する図、（ｃ）図１におけるＣＣ断面図に相当する図、（ｄ）図１におけるＤＤ断面図に相当する図である。
【発明を実施するための形態】
【００１６】
図１ないし図３は、本発明の第１の実施形態を示すものであって、本発明を、掘削ビットと掘削ロッド、掘削ロッド同士、または掘削ロッドとカップリングとを接続する雄ネジ部が形成されたネジ軸と雌ネジ部が形成されたネジ穴との掘削工具のネジ継手構造のうち雌ネジ部が形成されたネジ穴を有するネジ継手に適用したものである。すなわち、この雌ネジ部１は、掘削ビットのビット本体や掘削ロッドのロッド本体、あるいはカップリングの本体などの掘削工具本体２において、ビット本体やロッド本体ではその後端側に形成された円筒状部分の内周部、また本体自体が円筒状に形成されたカップリングではその先端側と後端側の少なくとも一方の内周部に形成される。
【００１７】
本実施形態における雌ネジ部１のネジ山３は、一対の斜面３Ａ、３Ｂとこのネジ山３の山頂部に平坦部３Ｃとを有して、当該雌ネジ部１の軸線Ｏに沿った断面が等脚台形状をなす、いわゆるＴネジとされている。ただし、これら一対の斜面３Ａ、３Ｂと山頂部の平坦面とが交差する交差稜線部は、上記断面においてこれら斜面３Ａ、３Ｂと平坦部３Ｃに滑らかに接する凸曲線をなすように丸められている。
【００１８】
そして、この雌ネジ部１のネジ山３は、完全ネジ部においては、一定の寸法、形状のこのような断面等脚台形をなして、一定の捩れ角で上記軸線Ｏ回りに捩れるように形成されている一方、当該雌ネジ部１の始端または終端となる掘削工具本体２の上記内周部の開口部側端部に形成される不完全ネジ部においては、一対の斜面３Ａ、３Ｂのうち、当該雌ネジ部１にねじ込まれる図示されない雄ネジ部（他方のネジ部）に接する側の斜面３Ａが、完全ネジ部の同斜面３Ａと等しい傾斜角および上記捩れ角で該斜面３Ａに連続して延びるように形成されるとともに、山頂部は、完全ネジ部における山頂部の上記平坦部３Ｃに連なる平坦部３Ｃが形成されたまま、ネジ山３の高さが低くなって雌ネジ部１のネジ谷底面４に交差するように形成されている。
【００１９】
ここで、本実施形態では、この不完全ネジ部におけるネジ山３の平坦部３Ｃは、図３に示すようにその軸線Ｏ方向の幅Ｌが、完全ネジ部におけるネジ山３の平坦部３Ｃの幅Ｌと等しい一定の幅Ｌとされ、この一定幅Ｌを維持したまま、ネジ山３の高さが漸次低くなってネジ谷底面４に交差させられている。従って、この平坦部３Ｃとネジ谷底面４とが交差する部分には、上記幅Ｌの長さの交差稜線が形成されることになる。
【００２０】
なお、不完全ネジ部におけるネジ山３の斜面３Ａ、３Ｂのうち、上記斜面３Ａとは反対側の斜面３Ｂは、この不完全ネジ部においてネジ山３に上記幅Ｌの平坦部３Ｃが残されるようにして面取りされ、あるいはヌスミが付けられるように切り欠かれており、不完全ネジ部で上述のようにネジ山３の高さが漸次低くなって行くこととも相俟って、雄ネジ部のネジ山に接することはない。
【００２１】
従って、このように形成された雌ネジ部１に、掘削ロッドのネジ軸外周に形成された雄ネジ部をねじ込んで構成される掘削工具のネジ継手構造では、上記不完全ネジ部においてネジ山３の雄ネジ部に接する斜面３Ａが、完全ネジ部の同斜面３Ａと等しい傾斜角および捩れ角で延長されているため、この斜面３Ａをその全面に亙って雄ネジ部に接触させて接触面積を確保することができる。このため、掘削時に雄ネジ部から雌ネジ部１に作用する負荷を分散させることができるので、かかる負荷により完全ネジ部から不完全ネジ部にかけて該斜面３Ａに生じる摩耗の進行を抑制することができる。
【００２２】
また、この不完全ネジ部におけるネジ山３は、その山頂部に平坦部３Ｃを残したままネジ山３の高さが低くなってネジ谷底面４に交差するようにされており、従って上記斜面３Ａと平坦部３Ｃとは、この不完全ネジ部でもその全長に亙って完全ネジ部と同様に鈍角に交差し、しかもその交差稜線部は断面凸曲線状をなして丸められている。すなわち、不完全ネジ部にも鋭角の鋭いエッジとなる部分が形成されることがないので、上記構成のネジ継手構造によれば、このようなエッジに接触して雄ネジ部のネジ山に応力集中が発生することもなく、こうして応力集中が生じた部分を基点として掘削工具に破損が生じて工具寿命が短縮されるような事態を、未然に防止することができる。
【００２３】
さらに、このように平坦部３Ｃが残されて不完全ネジ部が形成されていることにより、長期の掘削によってたとえ上記斜面３Ａに摩耗が生じても、この平坦部３Ｃが残っているうちは、雄ネジ部への斜面３Ａの接触面積を大きく確保したままに維持することができ、摩耗が早期に促進されてしまうのを防ぐことができる。従って、上記構成のネジ継手構造によれば、上述のように応力集中による破損が防止されることと斜面３Ａの摩耗自体が抑制されること、さらにこうして摩耗が生じてもその促進が防止されることとが相俟って、工具寿命の大幅な延長を図ることが可能となる。
【００２４】
特に、この第１の実施形態では、不完全ネジ部におけるネジ山３の平坦部３Ｃが、完全ネジ部における平坦部３Ｃと等しい幅Ｌをもってネジ谷底面４と交差するまで延長されており、この幅Ｌの深さまでネジ山３が摩耗するまで、すなわち雌ネジ部１が無くなるまで不完全ネジ部における斜面３Ａの雄ネジ部への接触面積を維持することができる。実際には、そこまで摩耗が進行する間に掘削工具は他の要因で寿命に達してしまうので、結果的に本実施形態によれば、摩耗による接触面積の変動のないネジ継手構造を提供することが可能となる。
【００２５】
次に、図４ないし図７は、本発明の第２および第３の実施形態を示すものであり、図１ないし図３に示した第１の実施形態と共通する部分には同一の符号を配して説明を省略する。すなわち、上記第１の実施形態では、不完全ネジ部におけるネジ山３が、その平坦部３Ｃを完全ネジ部の平坦部３Ｃと等しい幅Ｌとして、高さが漸次低くなるように形成されていたのに対し、第２、第３の実施形態では、不完全ネジ部のネジ山３が、完全ネジ部からその高さが該完全ネジ部と等しいまま、平坦部３Ｃの幅が完全ネジ部の平坦部３Ｃの幅Ｌよりも小さな幅Ｍとなるように漸次小さくなり、次いでこの小さな幅Ｍで平坦部３Ｃが一定幅とされたまま、ネジ山３の高さが漸次低くなってその山頂部の平坦部３Ｃがネジ谷底面４に交差させられるように形成されていることを特徴とする。ここで、第２の実施形態では上記幅Ｍが完全ネジ部におけるネジ山３の平坦部の幅Ｌの１／３とされ、第３の実施形態では１／２とされている。
【００２６】
従って、このような第２、第３の実施形態でも、不完全ネジ部のネジ山３の上記斜面３Ａは、完全ネジ部の斜面３Ａの延長上にあるように等しい傾斜角および捩れ角とされ、特に平坦部３Ｃが幅Ｍに至るまではネジ山３の高さも完全ネジ部と等しいので、他方のネジ部である雄ネジ部に対して大きな接触面積を確保して摩耗を抑制することができる。さらに、この平坦部３Ｃは、幅Ｍに至ってからは一定幅を維持して漸次高さが低くなってネジ谷底面４に交差させられて、その交差部分には幅Ｍの長さの交差稜線が形成されることになり、従って上記斜面３Ａと平坦部３Ｃとは不完全ネジ部の全長に亙って鈍角に交差させられるために雄ネジ部への応力集中を防ぐことができ、しかもこの幅Ｍの範囲であれば斜面３Ａに摩耗が生じても平坦部３Ｃと鈍角に交差した状態が維持されるので、第１の実施形態と同じように工具寿命の延長を図ることが可能となる。
【００２７】
ただし、このように不完全ネジ部におけるネジ山３の平坦部３Ｃを、完全ネジ部からネジ谷底面４への交差部分に向けて、完全ネジ部の幅Ｌからこれによりも小さな幅Ｍとなるように漸次小さくし、次いでこの幅Ｍで一定の幅として上記交差部分に至るようにした場合には、上記幅Ｍが小さすぎると、斜面３Ａが摩耗して反対側の斜面３Ｂ側に後退したときに、比較的早期に一定の幅Ｍの平坦部３Ｃが潰えてしまって、後退した斜面３Ａと反対側の斜面３Ｂとが交差し、その交差稜線部に鋭利なエッジが形成されて雄ネジ部に応力集中を生じるおそれがある。このため、上記幅Ｍは第２の実施形態のように完全ネジ部における平坦部３Ｃの幅Ｌの１／３までとされるのが望ましく、第３の実施形態のように幅Ｌの１／２程度までとされるのが、より望ましい。
【００２８】
なお、これら第１ないし第３の実施形態では、本発明のネジ継手構造を掘削工具本体２における円筒状部分の内周部のネジ穴に形成される雌ネジ部１に適用した場合について説明したが、この雌ネジ部２にねじ込まれるネジ軸の雄ネジ部に適用してもよく、これら雌雄ネジ部の双方に適用してもよい。ただし、ネジ軸をネジ穴にねじ込んで掘削工具の掘削ビットと掘削ロッド、掘削ロッド同士、または掘削ロッドとカップリングを接続した状態で、例えば雌ネジ部の不完全ネジ部を越えて雄ネジ部が延びている場合には、雄ネジ部に本発明は適用されていなくてもよく、すなわちこれら雌雄ネジ部のうち少なくとも一方のネジ部に本発明が適用されていればよい。
【符号の説明】
【００２９】
１  雌ネジ部（少なくとも一方のネジ部）
２  掘削工具本体
３  雌ネジ部１のネジ山
３Ａ  ネジ山３の斜面（不完全ネジ部においては他方のネジ部に接する側の斜面）
３Ｂ  ネジ山３の斜面
３Ｃ  ネジ山３の平坦部
４  雌ネジ部１のネジ谷底面
Ｏ  雌ネジ部１の軸線
Ｌ  完全ネジ部におけるネジ山３の平坦部３Ａの幅
Ｍ  不完全ネジ部において幅Ｌよりも小さくされた平坦部３Ａの幅
【図１】
2011038270.tif 000003
【図２】
2011038270.tif 000004
【図３】
2011038270.tif 000005
【図４】
2011038270.tif 000006
【図５】
2011038270.tif 000007
【図６】
2011038270.tif 000008
【図７】
2011038270.tif 000009